(57)【要約】【課題】高光沢度が要求される写真画像や低光沢度が要求される文字画像のいずれかの画像の種類によって適した光沢度で画像を形成し、より高品位の出力を得るベルト定着装置を備えた画像形成装置を提供する。【解決手段】画像形成装置１００に入力された画像情報から写真画像に対応する第１の画像情報と文字画像に対応する第２の画像情報とを識別する識別手段１０２を有し、第１の画像情報に基づく未定着トナー画像を記録紙Ｐ上に形成しベルト定着装置３０により定着した後、第２の画像情報に基づく未定着トナー画像を記録紙Ｐ上に形成してベルト定着装置３０により定着する。【選択図】        図２
2004294575.tif 000002
【特許請求の範囲】
【請求項１】
画像形成手段により転写材上に形成された未定着トナー画像を加圧、加熱して定着する定着装置を備えた画像形成装置において、
前記画像形成装置に入力された画像情報から写真画像に対応する第１の画像情報と文字画像に対応する第２の画像情報とを識別する識別手段を有し、
前記第１の画像情報に基づく未定着トナー画像を前記転写材上に形成し前記定着装置により定着した後、前記第２の画像情報に基づく未定着トナー画像を前記転写材上に形成して前記定着装置により定着することを特徴とする画像形成装置。
【請求項２】
画像形成手段により転写材上に形成された未定着トナー画像を加圧、加熱して定着する定着装置を備えた画像形成装置において、
原稿画像を読み取る原稿読取装置と、前記原稿読取装置により読み取った画像情報から写真画像に対応する第１の画像情報と文字情報に対応する第２の画像情報とを識別する識別手段とを有し、
前記第１の画像情報に基づく未定着トナー画像を前記転写材上に形成し前記定着装置により定着した後、前記第２の画像情報に基づく未定着トナー画像を前記転写材上に形成して前記定着装置により定着することを特徴とする画像形成装置。
【請求項３】
画像形成手段により転写材上に形成された未定着トナー画像を加圧、加熱して定着する定着装置を備えた画像形成装置において、
前記画像形成装置は前記転写材の同一面側に少なくとも２回の画像形成処理を行うことを特徴とする定着装置を備えた画像形成装置。
【請求項４】
前記少なくとも２回の画像形成処理の画像形成条件は、少なくとも２種類の定着条件を切り換え可能にしたことを特徴とする請求項３に記載の定着装置を備えた画像形成装置。
【請求項５】
前記少なくとも２種類の定着条件は、前記転写材上に形成されて定着された画像に異なる光沢度を付与する条件であることを特徴とする請求項３に記載の定着装置を備えた画像形成装置。
【請求項６】
少なくとも前記２種類の定着条件は、転写材搬送線速度、定着装置の押圧荷重、定着温度等から選ばれる条件であることを特徴とする請求項４に記載の定着装置を備えた画像形成装置。
【請求項７】
少なくとも前記２種類の定着条件のうち、より高光沢度を付与する定着条件が先行して実施されることを特徴とする請求項４に記載の定着装置を備えた画像形成装置。
【発明の詳細な説明】
【０００１】
【発明の属する技術分野】
本発明は、複写機、プリンタ、ＦＡＸ等の画像形成に用いられる定着装置を備えた画像形成装置に関し、例えば、電子写真方式により有色のトナーを転写材に転写して定着画像を形成するカラー複写機やカラープリンタ等に適用可能な定着装置を備えた画像形成装置に関するものである。
【０００２】
【従来の技術】
従来より、複写機、プリンタ、ＦＡＸ等の電子写真方式の画像形成装置に用いられている定着装置として、弾性層を有して所定の温度に維持された定着ゴムローラと、定着ゴムローラに圧接し、弾性層を有する加圧ゴムローラとによって、未定着のトナー画像が形成された転写材を挟持搬送しつつ加熱する熱ローラ定着方式が多用されている。
【０００３】
また、定着部材として無端状のベルト部材（定着ベルト）を用い、複数のローラ部材により定着ベルトを支持張架する定着ベルト方式の定着装置がある（特許文献１参照）。このベルト定着装置は、定着ベルトを支持する定着ローラと、発熱体を有する加熱ローラと、定着ベルトを挟んで定着ローラに対向する加圧ローラと、を設け、被定着材に対する第１の定着工程を行う補助ニップ部の定着圧を低く設定し、被定着材に対する第２の定着工程を行う主ニップ部の定着圧を所定の定着性が得られる定着圧に設定したものである。
【０００４】
一般に、文字画像は低光沢度の方が、写真画像は高光沢度の方が、高品位画像であるとされるが、この課題に対し、以下のような提案がなされている。
【０００５】
特許文献２に記載のカラー電子写真装置は、原稿上の黒色画像部の線画像とベタ画像を認識する認識機構を有し、黒色画像部の現像に用いられる現像剤には他の色の現像剤に比して加熱定着後の光沢度の低いものを用い、認識機構により黒色画像部の線画像と認識される箇所には、黒色の現像剤で画像を形成し、認識機構により黒色画像部のベタ画像と認識される箇所には、黒色の現像剤及びその他の色の現像剤で画像を形成するものである。
【０００６】
特許文献３に記載の高光沢画像形成装置は、低光沢画像を生成する時は、トレイから低光沢媒体が選択され、高光沢画像を生成する時は、トレイから高光沢媒体が選択され、給送速度を減速させ、更に、定着ローラの温度を上げるように制御するものである。
【０００７】
特許文献４に記載の画像形成装置は、シートの両面に画像を形成する場合、２回の定着処理を受ける第１面の有色トナーの光沢を、透明な処理剤により１回だけ定着処理される第２面の有色トナーとほぼ同一にするものである。
【０００８】
【特許文献１】
特開平１０−３０７４９６号公報
【０００９】
【特許文献２】
特開平９−１６６９０１号公報
【００１０】
【特許文献３】
特開平９−３２９９２８号公報
【００１１】
【特許文献４】
特開平１０−１３３５１５号公報
【００１２】
【発明が解決しようとする課題】
写真画像は高彩度を得るために高光沢度が望ましく、文字画像は低光沢度の方が読みやすいが、従来は、写真画像と文字画像が混在する画像では高光沢度、低光沢度のどちらかの光沢度を選択するか、中間的な光沢度で妥協するか、あるいは画像ごとに異なったトナーを使用するしかなかった。
【００１３】
本発明は上記の問題点を解消し、高光沢度が要求される写真画像や低光沢度が要求される文字画像のいずれかの画像の種類によって適した光沢度で画像を形成し、より高品位の出力を得る定着装置を有する画像形成装置を提供する事を目的とする。
【００１４】
【課題を解決するための手段】
上記本発明の目的は下記の構成により達成される。
【００１５】
（１）  画像形成手段により転写材上に形成された未定着トナー画像を加圧、加熱して定着する定着装置を備えた画像形成装置において、前記画像形成装置に入力された画像情報から写真画像に対応する第１の画像情報と文字画像に対応する第２の画像情報とを識別する識別手段を有し、前記第１の画像情報に基づく未定着トナー画像を前記転写材上に形成し前記定着装置により定着した後、前記第２の画像情報に基づく未定着トナー画像を前記転写材上に形成して前記定着装置により定着することを特徴とする画像形成装置。
【００１６】
（２）  画像形成手段により転写材上に形成された未定着トナー画像を加圧、加熱して定着する定着装置を備えた画像形成装置において、原稿画像を読み取る原稿読取装置と、前記原稿読取装置により読み取った画像情報から写真画像に対応する第１の画像情報と文字情報に対応する第２の画像情報とを識別する識別手段とを有し、前記第１の画像情報に基づく未定着トナー画像を前記転写材上に形成し前記定着装置により定着した後、前記第２の画像情報に基づく未定着トナー画像を前記転写材上に形成して前記定着装置により定着することを特徴とする画像形成装置。
【００１７】
（３）  画像形成手段により転写材上に形成された未定着トナー画像を加圧、加熱して定着する定着装置を備えた画像形成装置において、前記画像形成装置は前記転写材の同一面側に少なくとも２回の画像形成処理を行うことを特徴とする定着装置を備えた画像形成装置。
【００１８】
本発明は上記の如き構成をとることにより、まず、高光沢度が要求される写真画像を転写定着したあと、文字画像を転写定着し、文字画像に対して２度定着される写真画像を高光沢度とし、同一の紙の上に異なる光沢度の画像を形成する。さらに光沢度差が必要な場合には、２度目の定着条件よりも、最初の定着条件を、ニップ幅を大きくする、線速度を小さくするなど、より高光沢を得られる定着条件に変更するベルト定着装置を有する画像形成装置を提供するものである。
【００１９】
【発明の実施の形態】
以下、本発明の実施の形態を説明する。なお、本欄の記載は請求項の技術的範囲や用語の意義を限定するものではない。また、以下の、本発明の実施の形態における断定的な説明は、ベストモードを示すものであって、本発明の用語の意義や技術的範囲を限定するものではない。
【００２０】
［画像形成装置］
図１は、本発明に係るベルト定着装置を備えた画像形成装置の全体構成図である。
【００２１】
画像形成装置は、画像形成装置１００と画像読取装置２００とから構成される。
【００２２】
画像形成装置１００は、タンデム型カラー画像形成装置と称せられるもので、複数組の画像形成手段１０Ｙ，１０Ｍ，１０Ｃ，１０Ｋと、ベルト状の中間転写体６と給紙搬送手段２０及び後述するベルト定着装置３０とからなる。
【００２３】
画像形成装置１００の上部には、自動原稿送り装置２０１と原稿画像走査露光装置２０２とから成る画像読取装置２００が設置されている。
【００２４】
自動原稿送り装置２０１の原稿台上に載置された原稿ｄは搬送手段により搬送され、原稿画像走査露光装置２０２の光学系により原稿の片面又は両面の画像が走査露光され、ラインイメージセンサＣＣＤに読み込まれる。
【００２５】
ラインイメージセンサＣＣＤにより光電変換されたアナログ信号は、画像処理部１０１において、アナログ処理、Ａ／Ｄ変換、シェーディング補正、画像圧縮処理等を行った後、露光手段（画像書き込み手段）３Ｙ、３Ｍ、３Ｃ、３Ｋに入力される。
【００２６】
また、光電変換されたアナログ信号は、識別手段１０２の出力により後述のベルト定着装置３０の駆動を制御する。
【００２７】
識別手段１０２では、入力される画像信号が、線画像とベタ画像とに分離される。一般に、文字などから成る線画像は、原稿の地肌部分と画像の部分との濃度差（コントラスト）が大きく、ベタ画像の部分は、中間調レベルが多いという特徴がある。従って、このような特徴を総合的に判断する事により、画像信号を、線画像とベタ画像とに分離する事ができる。このような線画像とベタ画像との識別手段１０２は、既に知られているので説明を省略する。
【００２８】
イエロー（Ｙ）色の画像を形成する画像形成手段１０Ｙは、像担持体としての感光体ドラム１Ｙの周囲に配置された帯電手段２Ｙ、露光手段３Ｙ、現像装置４Ｙ及びクリーニング手段５Ｙを有する。マゼンタ（Ｍ）色の画像を形成する画像形成手段１０Ｍは、像担持体としての感光体ドラム１Ｍ、帯電手段２Ｍ、露光手段３Ｍ、現像装置４Ｍ及びクリーニング手段５Ｍを有する。シアン（Ｃ）色の画像を形成する画像形成手段１０Ｃは、像担持体としての感光体ドラム１Ｃ、帯電手段２Ｃ、露光手段３Ｃ、現像装置４Ｃ及びクリーニング手段５Ｃを有する。黒（Ｋ）色の画像を形成する画像形成手段１０Ｋは、像担持体としての感光体ドラム１Ｋ、帯電手段２Ｋ、露光手段３Ｋ、現像装置４Ｋ及びクリーニング手段５Ｋを有する。帯電手段２Ｙと露光手段３Ｙ、帯電手段２Ｍと露光手段３Ｍ、帯電手段２Ｃと露光装置３Ｃ及び帯電手段２Ｋと露光装置３Ｋとは、潜像形成手段を構成する。
【００２９】
４Ｙ，４Ｍ，４Ｃ，４Ｋは、イエロー（Ｙ）、マゼンタ（Ｍ）、シアン（Ｃ）及び黒（Ｋ）、小粒径トナーとキャリアからなる二成分現像剤を内包する現像装置である。
【００３０】
中間転写体６は、複数のローラにより巻回され、回動可能に支持されている。
画像形成手段１０Ｙ，１０Ｍ，１０Ｃ，１０Ｋより形成された各色の画像は、回動する中間転写体６上に一次転写手段７Ｙ，７Ｍ，７Ｃ，７Ｋにより逐次転写されて（一次転写）、合成されたカラー画像が形成される。
【００３１】
給紙搬送手段２０の給紙カセット２１内に収容された転写材としての記録紙Ｐは、給紙手段２２により給紙され、給紙ローラ２３，２４，２５，２６、レジストローラ２７等を経て、二次転写手段（転写ローラ）９に搬送され、記録紙Ｐ上にカラー画像が転写される（二次転写）。
【００３２】
カラー画像が転写された記録紙Ｐは、ベルト定着装置３０において記録紙Ｐが挟持され、熱と圧力とを加えることにより記録紙Ｐ上のカラートナー像（或いはトナー像）が定着されて記録紙Ｐ上に固定され、排紙ローラ２８に挟持されて機外の排紙トレイ２９上に載置される。
【００３３】
一方、二次転写手段９により記録紙Ｐにカラー画像を転写した後、記録紙Ｐを曲率分離した中間転写体６は、クリーニング手段８により残留トナーが除去される。
【００３４】
定着処理された記録紙Ｐを反転排紙する場合には、記録紙Ｐはベルト定着装置３０と排紙ローラ２８の中間に配置された分岐板２８Ａの図示右側の搬送路を通過し、下方の第１搬送路▲１▼に搬送された後、逆転搬送されて分岐板２８Ａの図示左側の第２搬送路▲２▼を通過し、排紙ローラ２８により装置外に排出される。
【００３５】
記録紙Ｐの同一面に多重複写する場合には、記録紙Ｐの第１面に形成した画像を定着処理した後、記録紙Ｐを第１搬送路▲１▼に導入し、分岐板２８Ｂの図示上側の搬送路を通過させ、図示右方の第３搬送路▲３▼に搬送した後、上方に迂回し給紙ローラ２６により搬送する。記録紙Ｐは画像形成手段１０Ｙ，１０Ｍ，１０Ｃ，１０Ｋにおいて第１面に各色の画像が多重形成され、ベルト定着装置３０により加熱定着処理され、排紙ローラ２８によって装置外に排出される。
【００３６】
記録紙Ｐの両面に複写する場合には、記録紙Ｐの第１面に形成した画像を定着処理した後、記録紙Ｐを第１搬送路▲１▼、さらに分岐板２８Ｂの下方の第４搬送路▲４▼に導入した後、逆転搬送し、分岐板２８Ｂの図示右側の搬送路を通過させ、第３搬送路▲３▼に搬送した後、上方に迂回し給紙ローラ２６により搬送する。記録紙Ｐは画像形成手段１０Ｙ，１０Ｍ，１０Ｃ，１０Ｋにおいて第２面に各色の画像が両面に形成され、ベルト定着装置３０により加熱定着処理され、排紙ローラ２８によって装置外に排出される。
【００３７】
なお、画像形成装置１００の説明においては、カラー画像形成にて説明したが、モノクロ画像を形成する場合も本発明に含まれるものである。
【００３８】
［ベルト定着装置］
本発明に係るベルト定着装置について、図２及び図３を用いて以下に説明する。図２は、本発明に係るベルト定着装置の断面図である。
【００３９】
本発明に係るベルト定着装置３０は、定着ベルト３１と、定着ベルト３１の内側に配置された支持加圧ローラ３２、支持加熱ローラ３３、パッド３５、案内部材３６と、定着ベルト３１の外側に配置された外部加圧ローラ３４等から構成されている。
【００４０】
定着ベルト３１は、無端状のベルト部材から成り、支持加圧ローラ３２、支持加熱ローラ３３、パッド３５、案内部材３６の各外周を包囲して張設する。
【００４１】
支持加圧ローラ３２は、外部加圧ローラ３４に対向し、定着ベルト３１の内周面の一方において定着ベルト３１を支持する。支持加熱ローラ３３は、ヒータＨ１を内蔵し、定着ベルト３１の内周面の一方において定着ベルト３１を支持する。外部加圧ローラ３４はヒータＨ２を内蔵し、定着ベルト３１、記録紙Ｐを挟持して支持加圧ローラ３２及びパッド３５に圧接する。
【００４２】
ヒータＨ１，Ｈ２はハロゲンランプやカーボンヒータやキセノンランプなど輻射による加熱源が適用可能であるが、ローラ芯金に適当なものを選択刷れば、電磁誘導等による加熱も可能である。
【００４３】
支持加熱ローラ３３によって加熱される定着ベルト３１を挟んで支持加圧ローラ３２と外部加圧ローラ３４との間に定着ニップ部Ｎａを形成する。定着ニップ部Ｎａの記録紙搬送方向上流側には、定着ベルト３１と外部加圧ローラ３４との間に外部加圧ローラ３４に巻きかける補助ニップ部Ｎｂを形成する。
【００４４】
補助ニップ部Ｎｂと定着ニップ部Ｎａとを通して加熱と加圧とにより記録紙Ｐ上の単色トナー像、或いは多色トナー像を定着する。また、定着ベルト３１の内側に、外部加圧ローラ３４と対向して設けたパッド３５、パッド保持部材３５Ａ、定着ベルト３１を張架するための案内部材３６を設けた。
【００４５】
定着ベルト３１は、基体として内径６０〜１５０ｍｍで、厚さが２０〜８０μｍのニッケル電鋳ベルト、或いは厚さが５０〜２００μｍのポリイミド等の耐熱性樹脂ベルトを基体として用い、該基体の外側（外周面）にゴム層として、厚さ１００〜５００μｍのシリコーンゴムを被覆したものに、離型層としてゴム層の表面に厚さ３０〜５０μｍのＰＦＡ（パーフルオロアルコキシ）やＰＴＦＥ（ポリテトラフルオロエチレン）コーティング加工を施したもの、或いはＰＦＡチューブを被覆したものを用いる。
【００４６】
支持加圧ローラ３２は、例えばＳＴＫＭ（機械構造用炭素鋼管）等のスチール材を用い、肉厚２〜５ｍｍの円筒状の金属パイプ３２ａと、該金属パイプ３２ａの外周面に厚さ０．５〜５ｍｍのシリコーンゴム層３２ｂを設け、さらに該シリコーンゴム層３２ｂの外側に厚さ３０〜７０μｍのＰＦＡチューブ３２ｃとからなる、外径２０〜５０ｍｍのソフトローラとして構成される。
【００４７】
外部加圧ローラ３４は、例えばＳＴＫＭ等のスチール材又はアルミニウム合金材を用い、肉厚２〜５ｍｍの円筒状の金属パイプ３４ａと、金属パイプ３４ａの外周面に厚さ１〜３ｍｍのシリコーンゴム層３４ｂを設け、さらに該シリーコンゴム層３４ｂの外側に厚さ２０〜５０μｍのＰＦＡ（パーフルオロアルコキシ）チューブを用いた離型層３４ｃとからなる、外径４０〜８０ｍｍのソフトローラとして構成される。
【００４８】
また、外部加圧ローラ３４の内部に外部加圧ローラ３４を加熱する発熱体としてのヒータＨ２を設けてある。外部加圧ローラ３４の表面温度は温度センサＴＳ２により検知され、所定温度に維持される。
【００４９】
支持加熱ローラ３３は、基体としてアルミニウム合金材料からなる、肉厚１〜２ｍｍのパイプ３３ａと、パイプ３３ａの外周面に厚さ１０〜３０μｍのＰＦＡから成るコーティング層３３ｂとを形成した、外径４０〜８０ｍｍのローラ部材として構成される。
【００５０】
また、支持加熱ローラ３３の内部に支持加熱ローラ３３を加熱する発熱体としてのヒータＨ１を設けてある。支持加熱ローラ３３の表面温度は温度センサＴＳ１により検知され、所定温度に維持される。
【００５１】
図示しない駆動手段により支持加圧ローラ３２を回転駆動し、支持加圧ローラ３２の回転により定着ベルト３１を支持搬送させて従動回転させる。また、駆動手段により、外部加圧ローラ３４を回転駆動し、外部加圧ローラ３４により定着ベルト３１を搬送し、定着ベルト３１を従動回転させるようにしてもよい。
【００５２】
定着ベルト３１と外部加圧ローラ３４およびパッド３５との間に形成される補助ニップ部Ｎｂと、支持加圧ローラ３２と外部加圧ローラ３４との間に形成する定着ニップ部Ｎａとにより、進入ガイド板３０Ｓを通して定着領域へ進入される記録紙Ｐ上の単色トナー像、或いは多色トナー像を加圧加熱し、記録紙Ｐ上に定着させる。
【００５３】
補助ニップ部Ｎｂは定着ベルト３１の柔軟性を生かして、支持加圧ローラ３２の小さなローラ径で大きな加熱時間を確保するのに有効である。
【００５４】
また、支持加熱ローラ３３に接触或いは非接触の温度検知手段としての温度センサＴＳ１を設け、支持加熱ローラ３３の温度制御を行う。また、定着ベルト３１にも接触或いは非接触の温度検知手段としての温度センサを設けて、定着ベルト３１の温度制御を行うようにしてもよい。勿論、温度検知手段は一方のみならず双方に設けることも可能である。
【００５５】
更に、外部加圧ローラ３４に接触或いは非接触の温度検知手段としての温度センサＴＳ２を設け、外部加圧ローラ３４の温度制御を行う。
【００５６】
記録紙Ｐのトナー層には、定着ベルト３１のゴム層、もしくはごく薄い離型性を有する層を介して定着ベルト３１のゴム層が当接されるため、ゴム層が変形して記録紙Ｐやトナー層の凹凸に追従して、定着ベルト３１がトナー層に均一に接触し、光沢むらなどのない均一な定着が行われ、トナー画像は適度な光沢を持ち、また定着後、転写材は安定して定着ベルト３１から分離する。
【００５７】
［定着ベルト３１の圧接と解除］
図３は、低光沢度画像を定着するために補助ニップ部Ｎｂを解除した状態を示すベルト定着装置３０の断面図である。
【００５８】
定着ベルト３１の内側に配置されたパッド３５、パッド保持部材３５Ａ、案内部材３６は一体にユニット形成され、揺動可能に支持されている。パッド保持部材３５Ａに植設された軸３７Ａは、レバー３７の一方の端部（図示左側の先端部）に形成された溝部に係合している。レバー３７の中間部は、支点軸３７Ｂに揺動可能に支持されている。レバー３７は、バネ３９に付勢されて、パッド３５、パッド保持部材３５Ａ、案内部材３６から成るユニットを定着ベルト３１に押圧して、外部加圧ローラ３４側に近接させる（図２参照）。
【００５９】
レバー３７の他方の端部（図示右側の後端部）には、カム３８の外周面が当接して、レバー３７をバネ３９による付勢に抗して揺動させ、パッド３５、パッド保持部材３５Ａ、案内部材３６から成るユニットを図示上方に待避させる。これによって、定着ベルト３１の記録紙進入側は、外部加圧ローラ３４の外周面から離間し、補助ニップ部Ｎｂは形成されなくなり、定着ニップ部Ｎａのみとなる（図３参照）。
【００６０】
識別手段１０２（図１参照）が、入力された画像情報に、写真画像と文字画像が混在していることを検知すると、まず、写真画像に対応するトナー像を形成し、記録紙Ｐに転写する。
【００６１】
補助ニップ部Ｎｂは、パッド３５や外部加圧ローラ３４を移動させることによって、ニップ量の有無もしくは長短を切り替えられるように構成されている。
【００６２】
ベルト定着装置３０は幅広い補助ニップ部Ｎｂを形成し（図２参照）、高い光沢度を与える状態に設定され、この状態で定着動作が行われ、高光沢度画像が得られる。
【００６３】
高光沢度画像（第１の画像情報）を形成した記録紙Ｐは、第１搬送路▲１▼、第３搬送路▲３▼を通って、２回目の転写定着動作が同一面に実行される（図１参照）。１度目の高光沢度画像に対応するトナー像に引き続いて、感光体ドラム１Ｙ，１Ｍ，１Ｃ，１Ｋ上もしくは中間転写体６上に形成された低光沢度画像（第２の画像情報）に対応するトナー像が、高光沢度画像の形成された記録紙Ｐの上に多重転写され、低光沢度定着するために補助ニップ部Ｎｂを解除したベルト定着装置３０に送り込まれる（図３参照）。高光沢度画像は、１度目の定着で高光沢度になった上に、もう一度加熱加圧され、さらに高光沢になる。一方、低光沢度画像に対応するトナー像は、低光沢度定着条件で一度定着されるだけであり、低光沢度が得られる。
【００６４】
上記の実施の形態では、補助ニップ部Ｎｂの有無によって光沢度を切り替える例について説明したが、光沢度切替は、線速度や荷重、温度を切り替えることによって実現しても良い。
【００６５】
また、定着条件を切り替えなくても、１度目に定着された画像は二度定着され、定着条件が変わらなくても２度目に定着された画像よりは高光沢度になるため、同一定着条件でも、光沢度差は小さいものの、異光沢度の混在画像を形成することができる。
【００６６】
高光沢にすることで彩度が上昇するため、写真などを高光沢度とし、読みやすさから文字は低光沢度にすることが望ましい。画像複写装置の場合には、種々考案されている写真画像と文字画像の識別手段１０２と、異光沢混在画像を形成する画像形成装置と組み合わせ、写真画像に高光沢度画像を、文字画像に低光沢度画像を対応させることで、高彩度の写真画像と読みやすい文字画像を形成することができる。
【００６７】
本実施の形態では、ベルト定着装置３０を例として説明したが、定着装置はローラ定着器でも有効なことは言うまでもない。ただし、光沢度切替手段として、補助ニップ幅Ｎｂの切替は選択できない。
【００６８】
このような構成をとることにより、写真画像や文字画像など、その種類によって適した光沢度で画像を形成し、より高品位の出力を得ることができる。
【００６９】
本実施の形態では、写真画像を高光沢に、文字画像を低光沢に対応させる構成について説明したが、例えば、デザインの観点から特定部分の光沢度を変えるように画像データを加工するような場合にも、有効である。
【００７０】
【発明の効果】
本発明の画像形成装置により、以下の効果が得られる。
【００７１】
（１）  請求項１に記載の画像形成装置は、プリンタ等の画像形成装置に入力された画像情報から識別手段によって、写真画像と文字画像を識別し、先ず写真画像情報に基づく未定着トナー画像を記録紙上に形成して定着装置により定着した後、文字画像情報に基づく未定着トナー画像を記録紙の同一面上に形成して定着装置により再度定着するものであり、高光沢度が要求される写真画像や低光沢度が要求される文字画像のいずれかの画像の種類によって適した光沢度で画像を形成し、より高品位のプリント画像が得られる。
【００７２】
（２）  請求項２に記載の画像形成装置は、画像読取装置を備えた電子写真複写機等の画像形成装置において、画像読取装置に入力された画像情報から識別手段によって、写真画像と文字画像を識別し、先ず写真画像情報に基づく未定着トナー画像を記録紙上に形成して定着装置により定着した後、文字画像情報に基づく未定着トナー画像を記録紙の同一面上に形成して定着装置により再度定着するものであり、高光沢度が要求される写真画像や低光沢度が要求される文字画像のいずれかの画像の種類によって適した光沢度で画像を形成し、より高品位の複写画像が得られる。
【００７３】
（３）  請求項３〜６に記載の画像形成装置は、記録紙の同一面側に少なくとも２回の画像形成処理を行い、画像形成処理の画像形成条件は、少なくとも２種類の定着条件を切り換え可能にするものであり、定着条件は、記録紙上に形成されて定着された画像に異なる光沢度を付与する条件、又は記録紙搬送線速度、定着装置の押圧荷重、定着温度等から選ばれる条件である。更に、定着条件のうち、より高光沢度を付与する定着条件が先行して実施される。これによって、高光沢度が要求される写真画像や低光沢度が要求される文字画像のいずれかの画像の種類によって適した光沢度で画像を形成し、より高品位の複写画像が得られる。
【図面の簡単な説明】
【図１】本発明に係るベルト定着装置を備えた画像形成装置の全体構成図。
【図２】本発明に係るベルト定着装置の断面図。
【図３】低光沢度定着するために補助ニップ部を解除した状態を示すベルト定着装置の断面図。
【符号の説明】
１０Ｙ，１０Ｍ，１０Ｃ，１０Ｋ  画像形成手段
２０  給紙搬送手段
３０  ベルト定着装置
３１  定着ベルト
３２  支持加圧ローラ
３３  支持加熱ローラ
３４  外部加圧ローラ
３５  パッド
３５Ａ  パッド保持部材
３６  案内部材
３７  レバー
３８  カム
３９  バネ
１００  画像形成装置
１０２  識別手段
２００  画像読取装置
Ｈ１，Ｈ２  ハロゲンランプ
Ｎａ  定着ニップ部
Ｎｂ  補助ニップ部
Ｐ  記録紙（転写材）
【図１】
2004294575.tif 000003
【図２】
2004294575.tif 000004
【図３】
2004294575.tif 000005